(57)【要約】【課題】  内気センサを運転者近傍に配置して運転者近傍の雰囲気温度に基づいて空調制御する一方、運転席以外の座席にも乗員が着座している場合に、内気センサの検出温度を補正した値で空調制御して運転者以外の乗員も適正に空調制御するようにした車両用空気調和装置を提供する。【解決手段】  空調温度を制御する内気センサ３を運転者の近傍に配置して、一人乗車空調モードでは運転者近傍の雰囲気温度に基づいて制御して運転者の快適性を確保する一方、乗員が運転席以外の座席にも着座していると空調制御手段２が判断して、他の空調風吹出口からも送風する場合に、内気センサ補正手段１３により内気センサ３の検出値を室内の温度変化に関係する因子で補正することにより、運転席以外の座席に着座した乗員も適正に空調制御する。【選択図】      図１
2005138682.tif 000002
【特許請求の範囲】
【請求項１】
車室内温度を検出する内気センサと、
乗員の着座有無を検出する乗員検知手段と、
前記内気センサの検出温度に基づいて空調温度を制御するとともに、前記乗員検知手段により運転席を除く座席に乗員が着席していないと検出した場合に、不在座席に対向した空調風吹出口からの送風状態を制御する空調制御手段と、を備えた車両用空気調和装置において、
前記内気センサを運転者の近傍に配置して、空調制御手段を運転者近傍の雰囲気温度に基づいて制御し、
乗員が運転席以外の座席にも着座して前記他の空調風吹出口からも送風する場合に、前記内気センサの検出値を室内の温度変化に関係する因子で補正する内気センサ補正手段を設けたことを特徴とする車両用空気調和装置。
【請求項２】
車室内温度を検出する内気センサと、
運転席以外の座席に対向した空調風吹出口からの送風状態を制御する空調方式を選択する選択手段（以下、「空調吹出口選択手段」と呼称する）と、
前記内気センサの検出温度に基づいて空調温度を制御するとともに、前記空調吹出口選択手段が選択された場合に、運転席以外の座席に対向した空調風吹出口からの送風状態を制御する空調制御手段と、を備えた車両用空気調和装置において、
前記内気センサを運転者の近傍に配置して、空調制御手段を運転者近傍の雰囲気温度に基づいて制御し、
前記空調吹出口選択手段がいずれかに判断され、前記他の空調吹出口からも送風する場合に、前記内気センサの検出値を車室内温度の変化に関係する因子で補正する内気センサ補正手段を設けたことを特徴とする車両用空気調和装置。
【請求項３】
前記内気センサ補正手段は、前記因子をパラメータに取得した、運転者周りの雰囲気温度を代表する箇所と内気センサの設定位置の温度差に基づいた関数で補正することを特徴とする請求項１および請求項２に記載の車両用空気調和装置。
【発明の詳細な説明】
【技術分野】
【０００１】
本発明は、車両に搭載する空気調和装置に関する。
【背景技術】
【０００２】
従来の空気調和装置では、乗員検出手段により各座席に乗員が着座しているかどうかを判定し、運転席以外の座席に乗員が着座していない場合は、その座席用に設けた他の吹出口に通ずるダクト内通路を閉じて、その吹出口からの送風を停止することにより空気調和装置の省エネ化を図るようになっている。
【０００３】
また、このように着座していない座席の空調風停止は、運転席用の吹出口からの吹出風量を少なくしたり、風温が高くなるように圧縮機を制御したりして、運転者の快適感を確保しつつ冷暖房性能を適正にコントロールして省エネ化を図っている。
【特許文献１】特開２００２−２４８９３６号公報（第７頁、第１１図）
【発明の開示】
【発明が解決しようとする課題】
【０００４】
しかしながら、かかる従来の車両用空気調和装置では、車室内の平均温度を検出する内気センサの検出温度を１つの情報として空調制御しており、通常は全ての吹出口からの空調風により、車室内がほぼ均一の温度になるため、内気センサの検出温度は、運転者近傍の雰囲気温度を表すことになり、内気センサの検出温度と運転者の雰囲気温度の差は小さく、全ての吹出口から空調風が吹き出している状態で運転者周りは快適な空調が達成されている。
【０００５】
ところが、運転者のみの乗車で運転席用の吹出口以外の他の吹出口を閉じた制御時では、空調風の有無により運転席とそれ以外の座席の雰囲気温度に差が生ずるため、内気センサの検出温度と運転者の雰囲気温度との差が大きくなり、その結果、運転者にとって違和感を持つ空調制御となってしまう。
【０００６】
例えば、夏期条件下では運転者以外の座席は空調風が停止することにより車室内温度が上昇するため、車室内の平均温度を検出する内気センサは、運転者の雰囲気温度に対して高めに温度を検出して制御することになり、運転者にとっては過剰な冷房となってしまう。
【０００７】
そこで、本発明はかかる従来の課題に鑑みて、内気センサを運転者近傍に配置して運転者近傍の雰囲気温度に基づいて空調制御する一方、運転席以外の座席にも乗員が着座している場合に、内気センサの検出温度を補正した値で空調制御して運転者以外の乗員も適正に空調制御するようにした車両用空気調和装置を提供することを目的とする。
【課題を解決するための手段】
【０００８】
本発明の車両用空気調和装置は、内気センサの検出温度に基づいて空調温度を制御するとともに乗員検出手段により運転席を除く座席に乗員が着座していないと検出した場合や、空調吹出口選択手段が選択されている場合に、空調制御手段は運転席以外の座席用に設けた他の空調風吹出口からの送風状態を制御するようになっており、
前記内気センサを運転者の近傍に配置して、空調制御手段を運転者近傍の雰囲気温度に基づいて制御し、
乗員が運転席以外の座席にも着座した場合や、空調吹出口選択手段の選択結果によって前記他の空調風吹出口からも送風する場合に、前記内気センサの検出値を室内の温度変化に関係する因子で補正する内気センサ補正手段を設けたことを最も主要な特徴とする。
【発明の効果】
【０００９】
本発明の車両用空気調和装置は、内気センサを運転席に着座した運転者近傍に配置したことにより、内気センサは運転者近傍の雰囲気温度を検出して空調制御するため、他の空調風吹出口からの送風状態を制御した場合に、空調制御手段は運転者近傍の雰囲気温度に基づいて制御することになり、運転者の快適性を確保することができる。
【００１０】
一方、運転席以外の座席の少なくともいずれかにも乗員が着座している場合や空調吹出口選択手段の選択結果によって前記他の吹出口からも送風する場合には、内気センサ補正手段により前記内気センサの検出値を室内の温度変化に関係する因子で補正するので、運転席以外の座席に着座した乗員も適正に空調制御することができる。
【発明を実施するための最良の形態】
【００１１】
以下、本発明の一実施形態を図面に基づいて説明する。
【００１２】
図１〜図３は本発明にかかる車両用空気調和装置を示し、図１は空気調和装置の概略構成図、図２は車室内の空調風吹出口の配置状態を（ａ）の平面図と（ｂ）の側面図で示す説明図、図３は乗員が運転手のみかどうかを乗員検知手段により判断し、運転席以外の他の空調吹出口からの送風を停止するとした場合の空気調和装置の制御フローチャートである。本実施形態の車両用空気調和装置１は、図１に示すように、空調制御手段としての空調制御コンピュータ２を備え、この空調制御コンピュータ２には内気センサ３，外気センサ４，日射センサ５，吸込温度センサ６，温度設定器７および乗員検知手段８等の検出信号を入力して、ブロワ制御手段９，エアミックス制御手段１０，吹出口制御手段１１およびその他の各種の制御手段１２に制御信号を出力するようになっている。
【００１３】
前記内気センサ３は、車室内温度を検出するとともに、前記外気センサ４は車外の外気温度を検出し、日射センサ５は車室内に入射する日射量を検出するようになっており、また、吸込み温度センサ６は蒸発器に吸い込む温度を検出するとともに、温度設定器７は乗員が希望する温度を操作して設定した温度を検出し、乗員検知手段８は各座席に乗員が着座しているかどうかを検出するようになっている。
【００１４】
車室Ｒ内には、図２（ａ）に示すように運転席２０，助手席２１，左・右後席２２，２３を設けてあり、前記乗員検知手段８としては着座した乗員の体重を感知する圧力センサや乗員に照射して検知する赤外線センサ等を用いることができる。
【００１５】
運転席２０および助手席２１の前方にあるインストールメントパネル２４には、運転席用の空調風吹出口２５および助手席２１用の空調風吹出口２６を運転席２０・助手席２１に対向して設けてあり、更には、図示省略するが天井や運転席２０・助手席２１下方に後席用の空調風吹出口を設けた車種があるが、この実施形態では前記前席用の空調風吹出口２５，２６のみを設けた場合を例にとって説明する。
【００１６】
前席用の空調風吹出口２５，２６、例えば、図２（ｂ）に示すように、運転席用の空調風吹出口２５から吹き出した空調風は、運転者Ｍ周りＡに快適な雰囲気温度を生成するようになっている。
【００１７】
前記空調制御コンピュータ２は、乗員検知手段８からの乗員検知信号により、運転席２０以外の助手席２１に乗員が着座している場合は、運転者Ｍおよび助手席２１に着座した図外の乗員に向かってそれぞれ空調風を吹き出す制御を実行する一方、運転席２０のみに運転者Ｍが着座している場合（乗員数限定空調制御）は、運転席２０以外の助手席２１、更に後席用に空調風吹出口がある場合は後席２２，２３用に設けた他の空調風吹出口２６からの送風を停止するようになっている。
【００１８】
この他の空調風吹出口２６からの送風停止は、これに通ずるダクトを閉止することにより達成される。
【００１９】
ここで、本実施形態では、前記内気センサ３を運転席２０に着座した運転者Ｍの近傍となるステアリングホイール２７の下部に配置して、空調制御コンピュータ２を運転者Ｍ近傍の雰囲気温度に基づいて制御し、乗員が運転席２０以外の座席２１，２２，２３にも着座して前記他の空調風吹出口２６からも送風する場合に、前記内気センサ３の検出値を室内の温度変化に関係する因子で補正する内気センサ補正手段１３を設けるようになっている（請求項１）。
【００２０】
図３は前記乗員数限定空調制御を実行するために空調制御コンピュータ２で処理するフローチャートを示し、まず、ステップＳ１では空調制御に必要な各種情報、つまり、内気センサ３，外気センサ４，日射センサ５，吸込温度センサ６，温度設定器７によるセンサ情報を取得するとともに、次のステップＳ２では乗員検知手段８による乗員情報、つまり、座席２０〜２３に乗員が着座しているかどうかの情報を取得する。
【００２１】
そして、ステップＳ３では乗員が運転者Ｍのみであるかどうかを判断し、運転者Ｍのみの一人乗車空調モードの場合（ＹＥＳ）はステップＳ４に進み、前記内気センサ３の検出値に基づいて送風量，風温を演算するとともに、空調風を吹き出す吹出口を選択する。この場合、運転席２０用の空調風吹出口２５のみを選択し、次のステップＳ５では、これら送風量，風温，吹出口の指令信号を各空調制御部９〜１２に出力する。
【００２２】
一方、前記ステップＳ３によって運転席２０以外にも他の座席２１〜２３の少なくともいずれかに他の乗員が着座していると判断した場合（ＮＯ）はステップＳ６に進み、内気センサ補正手段１３を実行して、内気センサ３の検出温度Ｔincを補正する。
【００２３】
このときの補正した内気センサ温度Ｔinc′は、
Ｔinc′＝Ｔinc＋α  …（１）
として得るようになっている。
【００２４】
補正値αは、車室内温度に関係する因子による関数として得られ、前記因子とは内気センサ温度、外気温度、日射要件（日射量や日射方向）、送風要件（送風量や吹き出し温度）などである。
【００２５】
α＝関数（Ｔinc，Ｔamb，Ｑsun，Ｑfun，…）  …（２）
ここでＴincは内気センサ温度、Ｔambは外気温度、Ｑsunは日射要件（日射量や日射方向）、Ｑfunは送風要件（送風量や吹き出し温度）であり、αは実験などにより決定される値である。
【００２６】
なお、補正値αは内気センサ３の設定位置（運転者Ｍ近傍）と車室内平均温度を表す箇所との温度差（dＴ）を上記と同様の因子をパラメータとした実験によりあらかじめ取得し、その温度差に基づいた関数で補正してもよい（請求項３）。
【００２７】
α＝関数（dＴ）  …（３）
そして、次のステップＳ７では、運転者Ｍ以外に乗員が着座している場合の送風量，風温を演算するとともに、空調風を吹き出す吹出口を選択する。
【００２８】
この場合、運転席用の空調風吹出口２５以外に他の空調風吹出口２６を開放して、ステップＳ５では、これら送風量，風温，吹出口の指令信号を各空調制御部９〜１２に出力する。
【００２９】
以上構成により本実施形態の車両用空気調和装置によれば、内気センサ３を運転席２０に着座した運転者Ｍ近傍に配置したことにより、内気センサ３は運転者Ｍ近傍の雰囲気温度を検出して空調制御することになる。
【００３０】
このため、運転者Ｍのみが着座して他の空調風吹出口２６からの送風を停止した一人乗車空調モードの場合に、空調制御コンピュータ２は運転者Ｍ近傍の雰囲気温度に基づいて制御することになり、運転者Ｍの快適性を確保することができる。
【００３１】
一方、運転席２０以外の座席２１，２２，２３の少なくともいずれかにも乗員が着座している場合には、内気センサ補正手段１３により前記内気センサ３の検出値を室内の温度変化に関係する因子で補正するので、運転席２０以外の座席に着座した乗員も適正に空調制御することができる。
【００３２】
また、この実施形態では前記内気センサ補正手段１３は、前記因子をパラメータに取得した内気センサの設定位置と車室内の平均温度を表す箇所の温度差に基づいた関数で補正したので、運転席２０以外の座席２１，２２，２３の少なくともいずれかにも乗員が着座している場合に、運転者Ｍのみならず他の乗員にもより適正に空調制御することができる。
【産業上の利用可能性】
【００３３】
本発明は、前記実施形態によって運転席２０，助手席２１の前席および左・右後席２２，２３を設けた車両に適用したが、前席のみを設けた車両、あるいは後席２２，２３の更に後方に座席を設けた車両にあっても適用できる。
【図面の簡単な説明】
【００３４】
【図１】本発明の一実施形態における空気調和装置の概略構成図である。
【図２】本発明の一実施形態における車室内の空調風吹出口の配置状態を（ａ）の平面図と（ｂ）の側面図で示す説明図である。
【図３】本発明の一実施形態における空気調和装置を制御するフローチャートである。
【符号の説明】
【００３５】
１  車両用空気調和装置
２  空調制御コンピュータ（空調制御手段）
３  内気センサ
８  乗員検知手段
１３  内気センサ補正手段
２０  運転席
２１，２２，２３  運転席以外の座席
２６  他の空調風吹出口
Ｍ  運転者
【図１】
2005138682.tif 000003
【図２】
2005138682.tif 000004
【図３】
2005138682.tif 000005